(57)【要約】【課題】携帯電話機への着信をボタン電話子機で応答可能なボタン電話システムにおいて、主装置によるボタン電話子機と携帯電話機との接続の管理を不要にする。【解決手段】ボタン電話子機４Ａにて携帯電話機５を介してその発信元と通話中（手順Ｓ６）に、ボタン電話子機４Ａに対する内線発信があると（手順Ｓ７）、主装置２はボタン電話子機４Ａに対し、状態問合せ信号を送信する（手順Ｓ８）。ボタン電話子機４Ａは、携帯電話機５を介してその発信元と通話中であるため、使用中応答（ＮＡＣＫ）を送信する（手順Ｓ９）。主装置２は使用中応答の受信に基づいて、ビジートーンを生成し、ボタン電話子機４Ｂへ送信する（手順Ｓ１０）。【選択図】  図６
2008092189.tif 000002
【特許請求の範囲】
【請求項１】
主装置と、その主装置の内線に収容された複数のボタン電話子機とを備え、携帯電話機への着信を前記ボタン電話子機で応答可能なボタン電話システムにおいて、
前記ボタン電話子機は、前記携帯電話機との接続を管理する手段と、前記主装置からの問合わせに応答する手段とを有し、前記応答する手段は、前記ボタン電話子機が前記携帯電話機に接続されているとき、使用中の応答を行うことを特徴とするボタン電話システム。
【請求項２】
請求項１記載のボタン電話システムにおいて、
前記接続されているときが、通話中又は保留中であることを特徴とするボタン電話システム。
【請求項３】
請求項１記載のボタン電話システムにおいて、
前記ボタン電話子機は、前記携帯電話機への着信に対する応答を他のボタン電話子機に転送する操作に基づいて、前記携帯電話機からの音声信号を前記主装置へ送出し、前記主装置からの音声信号を前記携帯電話機へ送出することを特徴とするボタン電話システム。
【発明の詳細な説明】
【技術分野】
【０００１】
本発明は、携帯電話機に対する着信をボタン電話子機で応答可能なボタン電話システムに関し、詳細には、主装置によるボタン電話子機と携帯電話機との接続の管理を不要にした上記ボタン電話システムに関する。
【背景技術】
【０００２】
従来、主装置と、その内線に収容された複数台のボタン電話子機とからなるボタン電話システムにおいて、携帯電話機に対する着信を近距離無線通信によりボタン電話子機に転送してボタン電話子機に着信させ、ボタン電話子機にて着信に応答することにより、ボタン電話子機と、携帯電話機に対する着信の発信元との間の通話を可能にしたボタン電話シテムが提案されている（特許文献１参照）。
【０００３】
このボタン電話システムでは、携帯電話機に対する着信に応答したボタン電話子機は、自身が使用中であることを主装置に通知し、主装置は、通知を送ってきたボタン電話子機が携帯電話機に対する着信に応答中であることを把握する。そして、主装置は、このボタン電話子機に対し、内線などから呼出要求を受けた場合、呼出要求元に対しビジーを送信する。
【０００４】
しかしながら、このボタン電話システムでは、主装置は、ボタン電話子機の内線通話や外線通話など、一般的なボタン電話子機の管理に加えて、ボタン電話子機と携帯電話機との接続の有無などに応じた管理も行うため、特に、ボタン電話子機の台数が多くなった場合、主装置の処理の負担が大きくなるという問題がある。
【０００５】
【特許文献１】特開２００５−２９４９６９号公報
【発明の開示】
【発明が解決しようとする課題】
【０００６】
本発明はこのような問題点を解決するためになされたものであり、その目的は、携帯電話機への着信をボタン電話子機で応答可能なボタン電話システムにおいて、主装置によるボタン電話子機と携帯電話機との接続の管理を不要にすることである。
【課題を解決するための手段】
【０００７】
請求項１の発明は、主装置と、その主装置の内線に収容された複数のボタン電話子機とを備え、携帯電話機への着信を前記ボタン電話子機で応答可能なボタン電話システムにおいて、前記ボタン電話子機は、前記携帯電話機との接続を管理する手段と、前記主装置からの問合わせに応答する手段とを有し、前記応答する手段は、前記ボタン電話子機と前記携帯電話機とが接続されているとき、使用中の応答を行うことを特徴とする。
請求項２の発明は、請求項１記載のボタン電話システムにおいて、前記接続されているときが、通話中又は保留中であることを特徴とする。
請求項３の発明は、請求項１記載のボタン電話システムにおいて、前記ボタン電話子機は、前記携帯電話機への着信に対する応答を他のボタン電話子機に転送する操作に基づいて、前記携帯電話機からの音声信号を前記主装置へ送出し、前記主装置からの音声信号を前記携帯電話機へ送出することを特徴とする。
【０００８】
（作用）
請求項１の発明によれば、ボタン電話子機は、携帯電話機との間に回線が接続されているとき、主装置から問合わせに対し、使用中の応答を行う。
請求項２の発明によれば、ボタン電話子機は、携帯電話機との間で通話中又は保留中のとき、主装置から問合わせに対し、使用中の応答を行う。
請求項３の発明によれば、ボタン電話子機は、前記携帯電話機への着信に対する応答を他のボタン電話子機に転送する操作に基づいて、前記携帯電話機からの音声信号を前記主装置へ送出し、前記主装置からの音声信号を前記携帯電話機へ送出する。
【発明の効果】
【０００９】
本発明によれば、携帯電話機への着信をボタン電話子機で応答可能なボタン電話システムにおいて、主装置によるボタン電話子機と携帯電話機との接続の管理を不要になる。
【発明を実施するための最良の形態】
【００１０】
図１は本発明の実施形態のボタン電話システムの構成を示す図である。このボタン電話システム１は、主装置２と、その内線に収容された複数のボタン電話子機４Ａ，４Ｂ，・・・４Ｎとを備えている。ボタン電話子機４Ａは、近くに存在する携帯電話機５と、Bluetooth（登録商標）などのローカルな無線伝送路（近距離無線伝送路）３８を介して通信を行うことができる。
【００１１】
主装置２は、ＣＰＵ、ＲＯＭ、及びＲＡＭを有するマイクロコンピュータなどからなり、電話回線１０及びボタン電話子機４Ａ，４Ｂ，・・・４Ｎの状態を管理するとともに、この主装置２全体の制御などを行う制御部と、電話回線１０を終端制御する外線Ｉ／Ｆ（インタフェース）部１２と、内線伝送路３を介してボタン電話子機４Ａ，４Ｂ，・・・４Ｎを収容する内線Ｉ／Ｆ部１３と、外線Ｉ／Ｆ部１２と、内線Ｉ／Ｆ部１３とを交換接続する交換処理部１４と、制御部１１での制御に必要な制御情報、外線情報、内線情報などを関連付けて記憶する記憶部１５とを備えている。
【００１２】
図２はボタン電話子機４Ａの構成例を示すブロック図である。ボタン電話子機４Ａは、ＣＰＵ、ＲＯＭ、及びＲＡＭを有するマイクロコンピュータなどからなり、このボタン電話子機４Ａ全体の制御などを行う子機制御部２１と、それぞれが子機制御部２１に接続された内線Ｉ／Ｆ部２２、無線Ｉ／Ｆ部２３、音声処理部２４、表示部２５、キー入力部２６、及び記憶部２７を備えている。
【００１３】
内線Ｉ／Ｆ部２２は内線伝送路３を介して主装置２と通信を行い、無線Ｉ／Ｆ部２３は無線伝送路３８を介して携帯電話機５Ａと通信を行う。音声処理部２４は、音声信号アンプ、スピーカ、及び受話器などを備えており、通話音声の入出力、呼出音や各種報知音の出力を行う。表示部２５はＬＥＤ（Light Emitting Diode）やＬＣＤ（Liquid Crystal Display）を有し、子機制御部２１から送られてくる各種情報やキー入力部２６から入力される各種情報を表示する。キー入力部２６はダイヤルキー、外線キー、フックキーなどの各種キーを備え、利用者がこれらのキーを用いて入力した情報を子機制御部２１へ送る。記憶部３６は子機制御部３７での処理動作に用いる各種情報を記憶するメモリである。
【００１４】
ここで、記憶部２７には、子機制御部２１が無線Ｉ／Ｆ部２３の制御や管理などに使用するプログラムが格納されており、子機制御部２１は、携帯電話機５との間の無線伝送路３８の回線の接続制御などを主装置２の制御を受けることなく行うことができる。また、記憶部２７には、内線Ｉ／Ｆ部２２を介して主装置２から、ボタン電話子機４Ａの状態の問合わせを受けたとき、携帯電話機５と無線伝送路３８の回線の接続関係に応じて、応答を送信するためのプログラムが格納されている。
【００１５】
なお、他のボタン電話子機４Ｂなどの構成は、以上説明したボタン電話子機４Ａの構成から携帯電話機５と通信するための手段（無線Ｉ／Ｆ部２３、子機制御部２１が無線Ｉ／Ｆ部２３を制御するときに使用するプログラムなど）を除いたものである。
【００１６】
図３は携帯電話機５の構成例を示すブロック図である。携帯電話機５は、ＣＰＵ、ＲＯＭ、及びＲＡＭを有するマイクロコンピュータなどからなり、この携帯電話機５全体の制御などを行う携帯制御部３１と、それぞれが携帯制御部３１に接続されたローカル無線Ｉ／Ｆ部３２、公衆無線Ｉ／Ｆ部３３、音声処理部３４、表示部３５、キー入力部３６、及び記憶部３７を備えている。
【００１７】
ローカル無線Ｉ／Ｆ部３２は、無線伝送路３８を介してボタン電話子機４Ａと通信を行う機能を有し、公衆無線Ｉ／Ｆ部３３は公衆電話回線（無線、有線）を介して図示されていない携帯電話機や固定電話機と通信を行う機能を有する。音声処理部３４は音声信号アンプ、スピーカ、及びマイクなどを備えており、通話音声の入出力、呼出音や各種報知音の出力を行う。表示部３５はＬＥＤやＬＣＤを有し、携帯制御部３１から送られてくる各種情報やキー入力部３６から入力される各種情報を表示する。キー入力部３６はダイヤルキー、外線キー、フックキーなどの各種キーを備え、利用者がこれらのキーを用いて入力した情報を携帯制御部３１へ送る。記憶部３７は携帯制御部３１での処理動作に用いる各種情報を記憶するメモリであり、ここでは各種情報として電話帳データ３７ａを図示した。
【００１８】
このように、携帯電話機５は公衆電話回線を介して外線接続が可能な市販の携帯電話機であって、上記ボタン電話子機４Ａと協働して無線伝送路３８を形成し、ボタン電話機子機４Ａと通信を行う機能を持つものであればよい。そして無線伝送路３８を形成し、通信を可能にするため、予め通信相手を互いの記憶部２７，３７に登録しておく。
【００１９】
以上の構成を有するボタン電話システム１と、携帯電話機５の動作について、〔１〕携帯電話機５に対する着信をボタン電話子機４Ａで応答する場合、〔２〕ボタン電話子機４Ａが携帯電話機５を介して公衆電話回線の発信元と通話中に主装置２から内線呼出を受けた場合、〔３〕携帯電話機５に対する着信をボタン電話子機４Ａで受けた後に他のボタン電話子機に転送する場合、〔４〕携帯電話機５の電話帳データを利用してボタン電話子機４Ａから発信操作を行う場合の順に説明する。
【００２０】
〔１〕  
携帯電話機５に対する着信をボタン電話子機４Ａで応答する場合（図４に示すシーケンス図参照）
公衆電話回線により接続された発信元の発信操作に基づいて携帯電話機５に発信し（手順Ｓ１）、携帯電話機５に着信する。携帯電話機５では、着信表示を行わずに、携帯制御部３１がボタン電話子機４Ａに対する状態問合せ信号を生成し、ローカル無線Ｉ／Ｆ部３２から無線子機４Ａへ送信されるように制御する（手順Ｓ２）。
【００２１】
ボタン電話子機４Ａは問合わせ信号を受け、使用中でない場合は、子機制御部２１は、着信可能応答（ＡＣＫ）を携帯電話機５へ送信する（手順Ｓ３）。携帯電話機５は着信可能応答（ＡＣＫ）を受信すると、ボタン電話子機４Ａとの間で通信（ネゴシエーション）を行う（手順Ｓ４）。この通信によりボタン電話子機４Ａからリングバックトーンが出力される。ボタン電話子機４Ａの利用者が応答操作を行うことにより携帯電話機５に応答通知が送信される（手順Ｓ５）。携帯電話機５は応答通知の受信に基づいて、無線子機４Ａと携帯電話機５の発信元との間に通話路を接続する。これにより、無線子機４Ａと携帯電話機５の発信元との間が通話中となる（手順Ｓ６）。
【００２２】
なお、ボタン電話子機４Ａは、携帯電話機５から状態問合せ信号を受信したときに使用中であった場合は、着信不可能応答（ＮＡＣＫ）を送信する。この場合、携帯電話機５は着信不可能応答の受信に基づいて着信表示を行い、ボタン電話子機４Ａでは着信表示を行わないことになるため、携帯電話機５のみで着信応答を行うことになる。ただし、携帯電話機５に着信したときに、携帯電話機５に着信表示を行い、ボタン電話子機４Ａが使用中でない場合はボタン電話子機４Ａでも着信表示を行うように構成してもよい。このように構成して場合は、携帯電話機５、ボタン電話子機４Ａのどちらでも応答操作が可能である。
【００２３】
〔２〕ボタン電話子機４Ａが携帯電話機５を介して公衆電話回線の発信元と通話中に主装置から内線呼出を受けた場合（図５に示すシーケンス図）
ここで、携帯電話機５へ発信した発信元と、ボタン電話子機４Ａとが通話中になるまでの手順は図４と同じであるため省略し、それ以降の手順について説明する。
【００２４】
主装置２の内線に収容されたボタン電話子機４Ｂからボタン電話子機４Ａに対する呼出操作に基づいて、子機４Ｂから主装置２へ内線発信が行われる（手順Ｓ７）。主装置２はこの内線発信を受け、ボタン電話子機４Ａに対し、状態問合せ信号を送信する（手順Ｓ８）。ボタン電話子機４Ａは、携帯電話機５を介してその発信元と通話中であるため、使用中応答（ＮＡＣＫ）を送信する（手順Ｓ９）。主装置２は使用中応答の受信に基づいて、ビジートーンを生成し、ボタン電話子機４Ｂへ送信する（手順Ｓ１０）。
【００２５】
なお、ここでは主装置２からの状態問合せ信号（手順Ｓ８）に対し、ボタン電話子機４Ａが自分の状態を判別し、使用中応答（ＮＡＣＫ）を送信しているが、ボタン電話子機４Ａに自分の使用状態の判別機能を持たせる代わりに、携帯電話機５にその機能を持たせるように構成してもよい。この構成の場合、ボタン電話子機４Ａは、主装置２からの状態問合せ信号を携帯電話機５へ転送し、携帯電話機５からの使用中応答を主装置２へ転送する。また、ここでは内線子機４Ｂから呼出された場合の動作を示したが、外線からの着信に基づいて主装置２がボタン電話子機４Ａを呼出す場合も同様に動作する。
【００２６】
このように、本実施形態のボタン電話システムでは、ボタン電話子機４Ａが携帯電話機５との接続を管理しており、主装置２からの問合わせに対し、携帯電話機５との間の無線伝送路３８の回線の接続状態（接続、切断）などに応じて応答を送信するため、主装置２はボタン電話子機４Ａと携帯電話機５との接続を管理する必要はない。
【００２７】
〔３〕携帯電話機５に対する着信をボタン電話子機４Ａで受けた後に他のボタン電話子機に転送する場合（図６に示すシーケンス図参照）
ここで、携帯電話機５へ発信した発信元と、ボタン電話子機４Ａとが通話中になるまでの手順は図４と同じであるため省略し、それ以降の手順について説明する。
【００２８】
ボタン電話子機４Ａの利用者が通話中（手順Ｓ６）に保留操作を行うことにより、保留音が携帯電話機５を介してその発信元へ送信され（手順Ｓ１１）、次いでボタン電話子機４Ｂの呼出操作を行うことにより、主装置２に対し内線発信が行われる（手順Ｓ１２）。主装置２はこの内線発信を受けて、ボタン電話子機４Ｂに内線呼出を行う（手順Ｓ１３）。ボタン電話子機４Ｂの利用者が応答操作を行うことにより、ボタン電話子機４Ａの利用者との間で通話を行うことができる（手順Ｓ１４）。
【００２９】
この通話で、ボタン電話子機４Ａの利用者が携帯電話機５に対する着信をボタン電話子機４Ｂに転送することを話し、その後に転送操作を行うことにより、転送通知信号がボタン電話子機４Ａから主装置２へ送信され（手順Ｓ１５）、主装置２からボタン電話子機４Ｂへ送信される（手順Ｓ１６）。また、この転送操作に基づいて、携帯電話機５の発信元との間の保留が解除され、ボタン電話子機４Ｂと携帯電話機５の発信元との間が、ボタン電話子機４Ｂ→主装置２→ボタン電話子機４Ａ→携帯電話機５→発信元の経路で接続されることにより通話状態となる（手順Ｓ１７）。この通話状態では、ボタン電話子機４Ａは携帯電話機５からの音声信号に所要の処理を施して主装置２へ送出し、主装置２からの音声信号に所要の処理を施して携帯電話機５へ送出する。
【００３０】
〔４〕携帯電話機５の電話帳データを利用してボタン電話子機４Ａから発信操作を行う場合（図７及び図８に示すシーケンス図参照）
ボタン電話子機４Ａが携帯電話機５の記憶部３７に記憶されている電話帳データ３７ａを利用するためには、その電話帳データ３７ａを記憶部２７に書込むことが必要である。この書込みを行う方法としては、ボタン電話子機４Ａ、携帯電話機５の双方にＳＤメモリカードＩ／Ｆを設け、携帯電話機５にて電話帳データ３７ａを書込んだＳＤメモリカードをボタン電話子機４Ａに装着し、記憶部２７に取込むように構成することも可能であるか、本実施形態では図７に示す手順を用いて無線伝送路３８を介してダウンロードするように構成した。まずこのダウンロードの手順について説明する。
【００３１】
ボタン電話子機４Ａの利用者がキー入力部２６の所定のファンクションキーを操作し、表示部２５のＬＣＤに表示されている「電話帳ダウンロード」を選択することにより、ボタン電話子機４Ａから携帯電話機５へ通信開始コマンドが送信される（手順Ｓ２１）。携帯電話機５は通信開始コマンドを受付け（手順Ｓ２２）、使用中でない場合は通信可能応答（Ａｃｋ）を送信し、使用中の場合は通信不可能応答（Ｎａｃｋ）を送信する。ここでは通信可能応答を送信している。
【００３２】
ボタン電話子機４Ａは、通信可能応答の受付け（手順Ｓ２３）、電話帳データのダウンロードコマンドを携帯電話機５へ送信する（手順Ｓ２４）。なお、通信可能応答を受信できなかった場合は、表示部２５のＬＣＤにてビジー表示を行う。携帯電話機５は、ダウンロードコマンドを受付けると、記憶部３７から電話帳データ３７ａを読み出し、ボタン電話子機４Ａへ送信する（手順Ｓ２５）。
【００３３】
ボタン電話子機４Ａは、電話帳データを受信し（手順Ｓ２６）、電話帳データ３７ａを記憶部２７に保存する（手順Ｓ２７）。そして、ダウンロード終了通知を発行し、携帯電話機５へ送信する（手順Ｓ２８）。携帯電話機５がダウンロード終了通知を受付けることで（手順Ｓ２９）、電話帳データ３７ａのダウンロードのための通信が終わる。
【００３４】
次に、ボタン電話子機４Ａにて上記電話帳データを利用して発信操作を行う場合の動作について、図８のシーケンス図を参照しながら説明する。
【００３５】
ボタン電話子機４Ａの利用者がキー入力部２６の所定のファンクションキーを操作し、表示部２５のＬＣＤに表示された「電話帳から発信」を選択すると（手順Ｓ３１）、そのＬＣＤに電話帳が表示される。利用者が所望の電話番号を選択し（手順Ｓ３２）、発信ボタンを押下することにより、ボタン電話子機４Ａから携帯電話機５へ通信開始コマンドが発行される（手順Ｓ３３）。携帯電話機５は通信開始コマンドを受付け（手順Ｓ３４）、使用中でない場合は通信可能応答（ＡＣＫ）を送信し、使用中の場合は通信不可能応答（ＮＡＣＫ）を送信する。ここでは通信可能応答を送信している。
【００３６】
ボタン電話子機４Ａは、通信可能応答を受付け（手順Ｓ３５）、電話番号データを携帯電話機５へ送信する（手順Ｓ３６）。携帯電話機５は、電話番号データを受信し（手順Ｓ３７）、その電話番号データの相手先へ公衆電話回線を介して発信する。相手先から応答があると（手順Ｓ３８）、その相手先とボタン電話子機４Ａとの間に通話路が形成されるので、ボタン電話子機４Ａにより通話を開始することができる（手順Ｓ３９）。ここで、携帯電話機５が発信するときに発信者番号を通知する否かを予めボタン電話子機４Ａにて設定できるように構成することが好適である。
【００３７】
なお、以上の実施形態では、ボタン電話子機４Ａのみが携帯電話機５と無線伝送路３８を介して通信可能に構成されているが、他の１台以上のボタン電話子機も携帯電話機５と無線伝送路３８を介して通信可能に構成してもよい。また、個々のボタン電話子機における設定により、その通信動作を可能にしたり不可能にしたりする構成にしてもよい。さらに、１台のボタン電話子機に対し、複数台の携帯電話機を登録してもよい。
【図面の簡単な説明】
【００３８】
【図１】本発明の実施形態のボタン電話システムの構成を示す図である。
【図２】本発明の実施形態のボタン電話子機の構成例を示すブロック図である。
【図３】本発明の実施形態の携帯電話機の構成例を示すブロック図である。
【図４】本発明の実施形態のボタン電話システムにおいて、携帯電話機に対する着信をボタン電話子機で応答する場合の動作を示すシーケンス図である。
【図５】本発明の実施形態のボタン電話システムにおいて、ボタン電話子機が携帯電話機を介して公衆電話回線の発信元と通話中に主装置から呼出を受けた場合の動作を示すシーケンス図である。
【図６】本発明の実施形態のボタン電話システムにおいて、携帯電話機に対する着信をボタン電話子機で受けた後に他のボタン電話子機に転送する場合の動作を示すシーケンス図である。
【図７】携帯電話機の電話帳データをボタン電話子機にダウンロードする場合の動作を示すシーケンス図である。
【図８】携帯電話機の電話帳データを利用してボタン電話子機から発信操作を行う場合の動作を示すシーケンス図である。
【符号の説明】
【００３９】
１・・・ボタン電話システム、２・・・主装置、３・・・内線伝送路、４Ａ，４Ｂ，４Ｎ・・・ボタン電話子機、５・・・携帯電話機、２１・・・子機制御部、２２・・・無線Ｉ／Ｆ部、２６・・・キー入力部、３２・・・ローカル無線Ｉ／Ｆ部、公衆無線Ｉ／Ｆ部、３７ａ・・・電話帳デ―タ、３８・・・無線伝送路。
【図１】
2008092189.tif 000003
【図２】
2008092189.tif 000004
【図３】
2008092189.tif 000005
【図４】
2008092189.tif 000006
【図５】
2008092189.tif 000007
【図６】
2008092189.tif 000008
【図７】
2008092189.tif 000009
【図８】
2008092189.tif 000010